(57)【要約】【課題】失透が生じた場合であっても、適切な放電灯の冷却が可能なプロジェクターを提供する。【解決手段】本発明のプロジェクターの一つの態様は、一対の電極を有し、光を射出する放電灯と、放電灯を冷却する冷却部と、冷却部を制御する制御部と、放電灯から射出される光を画像情報に応じて変調する光変調装置と、光変調装置により変調された光を投射する投射光学装置と、を備え、制御部は、放電灯の電極間電圧と冷却部の回転数との関係を示す制御情報に基づいて冷却部を制御し、制御部は、放電灯に失透が生じたと判断した場合、制御情報における電極間電圧に対応する回転数の度合いを大きくすることを特徴とする。【選択図】図７
2018136480.tif 000002
【特許請求の範囲】
【請求項１】
一対の電極を有し、光を射出する放電灯と、
前記放電灯を冷却する冷却部と、
前記冷却部を制御する制御部と、
前記放電灯から射出される光を画像情報に応じて変調する光変調装置と、
前記光変調装置により変調された光を投射する投射光学装置と、
を備え、
前記制御部は、前記放電灯の電極間電圧と前記冷却部の回転数との関係を示す制御情報
に基づいて前記冷却部を制御し、
前記制御部は、前記放電灯に失透が生じたと判断した場合、前記制御情報における前記
電極間電圧に対応する前記回転数の度合いを大きくすることを特徴とするプロジェクター
。
【請求項２】
前記制御情報が示す前記電極間電圧と前記回転数との関係は、一次関数で示され、
前記制御部は、前記放電灯に失透が生じたと判断した場合、前記制御情報における前記
電極間電圧の変化量に対する前記回転数の変化量の割合を大きくする、請求項１に記載の
プロジェクター。
【請求項３】
前記制御部は、前記放電灯に失透が生じたと判断した場合、前記割合を３倍よりも小さ
い範囲内で大きくする、請求項２に記載のプロジェクター。
【請求項４】
前記制御部は、前記放電灯に失透が生じたと判断した場合、前記回転数を増加させる、
請求項１から３のいずれか一項に記載のプロジェクター。
【請求項５】
前記制御部は、前記放電灯の累積点灯時間が所定値以上となった場合に、前記放電灯に
失透が生じたと判断する、請求項１から４のいずれか一項に記載のプロジェクター。
【請求項６】
一対の電極を有し、光を射出する放電灯と、前記放電灯を冷却する冷却部と、を備える
プロジェクターの制御方法であって、
前記放電灯の電極間電圧と前記冷却部の回転数との関係を示す制御情報に基づいて前記
冷却部を制御し、
前記放電灯に失透が生じたと判断した場合、前記制御情報における前記電極間電圧に対
応する前記回転数の度合いを大きくすることを特徴とするプロジェクターの制御方法。
【発明の詳細な説明】
【技術分野】
【０００１】
本発明は、プロジェクター、およびプロジェクターの制御方法に関する。
【背景技術】
【０００２】
放電ランプを冷却する冷却ファンの回転数を変化させるプロジェクターが知られている
。例えば、特許文献１には、放電ランプに供給される電力に応じて、冷却ファンの回転数
を変化させる構成が記載されている。
【先行技術文献】
【特許文献】
【０００３】
【特許文献１】特開２００３−２９５３２０号公報
【発明の概要】
【発明が解決しようとする課題】
【０００４】
上記のような放電ランプ（放電灯）においては、放電ランプの内壁が高熱となることで
結晶化し、白濁する失透が生じる場合がある。放電ランプの内壁の失透した部分に放電ラ
ンプの光が照射されると、照射された光は散乱するとともに、その一部が失透した部分に
吸収される。そのため、失透した放電ランプの部分の温度が上昇する。これにより、失透
が生じた後の放電ランプにおいては、失透が生じる前に比べて放電ランプの温度が上昇し
やすく、上記のような方法を用いて冷却ファン（冷却部）の回転数を変化させても、放電
ランプを適切に冷却できない場合があった。したがって、放電ランプの寿命を十分に向上
できない場合があった。
【０００５】
本発明は、上記問題点に鑑みて成されたものであって、失透が生じた場合であっても、
適切な放電灯の冷却が可能なプロジェクター、およびそのようなプロジェクターの制御方
法を提供することを目的の一つとする。
【課題を解決するための手段】
【０００６】
本発明のプロジェクターの一つの態様は、一対の電極を有し、光を射出する放電灯と、
前記放電灯を冷却する冷却部と、前記冷却部を制御する制御部と、前記放電灯から射出さ
れる光を画像情報に応じて変調する光変調装置と、前記光変調装置により変調された光を
投射する投射光学装置と、を備え、前記制御部は、前記放電灯の電極間電圧と前記冷却部
の回転数との関係を示す制御情報に基づいて前記冷却部を制御し、前記制御部は、前記放
電灯に失透が生じたと判断した場合、前記制御情報における前記電極間電圧に対応する前
記回転数の度合いを大きくすることを特徴とする。
【０００７】
本発明のプロジェクターの一つの態様によれば、制御部は、放電灯に失透が生じたと判
断した場合、制御情報における電極間電圧に対応する冷却部の回転数の度合いを大きくす
る。そのため、放電灯に失透が生じた後に、放電灯の冷却度合を大きくすることができ、
放電灯を好適に冷却することができる。したがって、本発明のプロジェクターの一つの態
様によれば、失透が生じた場合であっても、適切な放電灯の冷却が可能なプロジェクター
が得られる。これにより、放電灯の寿命を向上できる。
【０００８】
前記制御情報が示す前記電極間電圧と前記回転数との関係は、一次関数で示され、前記
制御部は、前記放電灯に失透が生じたと判断した場合、前記制御情報における前記電極間
電圧の変化量に対する前記回転数の変化量の割合を大きくする構成としてもよい。
この構成によれば、失透が生じた後の電極間電圧の変化によって生じる放電灯の温度の
変化を相殺するように、好適に冷却部の回転数を変化させやすく、放電灯の温度を好適な
値にしやすい。したがって、放電灯の寿命をより向上できる。
【０００９】
前記制御部は、前記放電灯に失透が生じたと判断した場合、前記割合を３倍よりも小さ
い範囲内で大きくする構成としてもよい。
この構成によれば、失透が生じた後の放電灯の冷却をより好適にしやすく、放電灯の寿
命をより向上できる。
【００１０】
前記制御部は、前記放電灯に失透が生じたと判断した場合、前記回転数を増加させる構
成としてもよい。
この構成によれば、失透が生じた直後に、冷却部の回転数を大きくして、放電灯の冷却
度合を向上させることができる。これにより、放電灯をより好適に冷却できる。
【００１１】
前記制御部は、前記放電灯の累積点灯時間が所定値以上となった場合に、前記放電灯に
失透が生じたと判断する構成としてもよい。
この構成によれば、予め実験的に求めておいた所定値を用いる、あるいは所定値を推算
することで、制御部は、容易に失透を検出できる。したがって、放電灯に失透が生じた際
に、好適に、制御情報における電極間電圧に対応する冷却部の回転数の度合いを大きくす
ることができる。
【００１２】
本発明のプロジェクターの制御方法の一つの態様は、一対の電極を有し、光を射出する
放電灯と、前記放電灯を冷却する冷却部と、を備えるプロジェクターの制御方法であって
、前記放電灯の電極間電圧と前記冷却部の回転数との関係を示す制御情報に基づいて前記
冷却部を制御し、前記放電灯に失透が生じたと判断した場合、前記制御情報における前記
電極間電圧に対応する前記回転数の度合いを大きくすることを特徴とする。
【００１３】
本発明のプロジェクターの制御方法の一つの態様によれば、上述したのと同様にして、
失透が生じた場合であっても、適切な放電灯の冷却が可能なプロジェクターの制御方法が
得られる。
【図面の簡単な説明】
【００１４】
【図１】第１実施形態のプロジェクターの概略構成図である。
【図２】第１実施形態の光源装置を示す図である。
【図３】第１実施形態の放電灯の部分拡大断面図である。
【図４】第１実施形態の放電灯点灯装置および制御部の回路図である。
【図５】第１実施形態の制御部の一構成例を示すブロック図である。
【図６】第１実施形態のプロジェクターの各種構成要素を示すブロック図である。
【図７】第１実施形態におけるランプ電圧の変化に対する冷却部の回転数の変化の一例を示すグラフである。
【図８】ランプ電圧の変化に対する放電灯における放電灯温度の変化の一例を示すグラフである。
【図９】第１実施形態における制御部の制御手順の一例を示すフローチャートである。
【図１０】累積点灯時間の変化に対するランプ電圧の変化の一例を示すグラフである。
【図１１】第２実施形態におけるランプ電圧の変化に対する冷却部の回転数の変化の一例を示すグラフである。
【発明を実施するための形態】
【００１５】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００１６】
＜第１実施形態＞
図１は、本実施形態のプロジェクター５００の概略構成図である。図１に示すように、
本実施形態のプロジェクター５００は、光源装置２００と、平行化レンズ３０５と、照明
光学系３１０と、色分離光学系３２０と、３つの液晶ライトバルブ（光変調装置）３３０
Ｒ，３３０Ｇ，３３０Ｂと、クロスダイクロイックプリズム３４０と、投射光学装置３５
０と、を備える。
【００１７】
光源装置２００から射出された光は、平行化レンズ３０５を通過して照明光学系３１０
に入射する。平行化レンズ３０５は、光源装置２００からの光を平行化する。
【００１８】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００１９】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、画像信号（画像情報）に応じてそれぞれ変調される。すなわち、液晶ライト
バルブ３３０Ｒ，３３０Ｇ，３３０Ｂは、放電灯９０から射出される光を画像情報に応じ
て変調する。液晶ライトバルブ３３０Ｒ，３３０Ｇ，３３０Ｂは、後述する液晶パネル５
６０Ｒ，５６０Ｇ，５６０Ｂと、偏光板（図示せず）と、を有する。偏光板は、液晶パネ
ル５６０Ｒ，５６０Ｇ，５６０Ｂのそれぞれの光入射側および光射出側に配置される。
【００２０】
変調された３つの色光は、クロスダイクロイックプリズム３４０により合成される。合
成光は投射光学装置３５０に入射する。投射光学装置３５０は、入射光をスクリーン７０
０（図６参照）に投射する。すなわち、投射光学装置３５０は、液晶ライトバルブ３３０
Ｒ，３３０Ｇ，３３０Ｂにより変調された光を投射する。これにより、スクリーン７００
上に映像が表示される。なお、平行化レンズ３０５、照明光学系３１０、色分離光学系３
２０、クロスダイクロイックプリズム３４０、投射光学装置３５０の各々の構成としては
、周知の構成を採用することができる。
【００２１】
光源装置２００は、光源ユニット２１０と、放電灯点灯装置１０と、制御部４０と、冷
却部５０と、を有する。
図２は、光源装置２００を示す図である。図２には、光源ユニット２１０の断面図が示
されている。図２においては、制御部４０および冷却部５０の図示を省略している。
【００２２】
光源ユニット２１０は、図２に示すように、放電灯９０と、反射鏡１１２と、を有する
。放電灯９０は、光を射出する。放電灯点灯装置１０は、放電灯９０に駆動電流Ｉを供給
して放電灯９０を点灯させる。反射鏡１１２は、放電灯９０から射出された光を照射方向
Ｄへ反射する。照射方向Ｄは、放電灯９０の光軸ＡＸと平行である。
【００２３】
放電灯９０は、放電灯本体５１０と、一対の電極としての第１電極（電極）９２および
第２電極（電極）９３と、を有する。放電灯本体５１０の形状は、照射方向Ｄに沿って延
びる棒状である。放電灯本体５１０の一方の端部、すなわち、放電灯９０の一方の端部を
第１端部９０ｅ１とする。放電灯本体５１０の他方の端部、すなわち、放電灯９０の他方
の端部を第２端部９０ｅ２とする。放電灯本体５１０は、頂部５１０ａおよび底部５１０
ｂを有する。頂部５１０ａは、放電灯本体５１０における鉛直方向上側の端部である。底
部５１０ｂは、放電灯本体５１０における鉛直方向下側の端部である。
【００２４】
放電灯本体５１０の材料は、例えば、石英ガラス等の透光性材料である。放電灯本体５
１０の中央部は球状に膨らんでおり、その内部は放電空間９１である。放電空間９１には
、ハロゲン、水銀、希ガス、金属ハロゲン化合物等を含む放電媒体であるガスが封入され
ている。ハロゲンは、例えば、臭素Ｂｒを含む。
【００２５】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００２６】
図３は、放電灯９０の部分を示す拡大断面図である。
第１電極９２は、図３に示すように、芯棒５３３と、コイル部５３２と、本体部５３１
と、突起５３１ｐと、を有する。第１電極９２は、放電灯本体５１０への封入前の段階に
おいて、芯棒５３３に電極材（タングステン等）の線材を巻き付けてコイル部５３２を形
成し、形成されたコイル部５３２を加熱・溶融することにより形成される。これにより、
第１電極９２の先端側には、熱容量が大きい本体部５３１が形成される。突起５３１ｐは
、製造した放電灯９０を点灯させることで、本体部５３１の先端の一部が溶融・凝固して
形成される。突起５３１ｐは、アークＡＲの発生位置となる。
【００２７】
第２電極９３は、芯棒５４３と、コイル部５４２と、本体部５４１と、突起５４１ｐと
、を有する。第２電極９３は、第１電極９２と同様にして形成される。
なお、第１電極９２と第２電極９３とは、同様の構成であるため、以下の説明において
は、代表して第１電極９２についてのみ説明する場合がある。また、第１電極９２の先端
の突起５３１ｐと第２電極９３の先端の突起５４１ｐとは、同様の構成であるため、以下
の説明においては、代表して突起５３１ｐについてのみ説明する場合がある。
【００２８】
図２に示すように、放電灯９０の第１端部９０ｅ１には、第１端子５３６が設けられて
いる。第１端子５３６と第１電極９２とは、放電灯９０の内部を貫通する導電性部材５３
４により電気的に接続されている。同様に、放電灯９０の第２端部９０ｅ２には、第２端
子５４６が設けられている。第２端子５４６と第２電極９３とは、放電灯９０の内部を貫
通する導電性部材５４４により電気的に接続されている。第１端子５３６および第２端子
５４６の材料は、例えば、タングステン等の金属である。導電性部材５３４，５４４の材
料としては、例えば、モリブデン箔が利用される。
【００２９】
第１端子５３６および第２端子５４６は、放電灯点灯装置１０に接続されている。放電
灯点灯装置１０は、第１端子５３６および第２端子５４６に、放電灯９０を駆動するため
の駆動電力を供給する。その結果、第１電極９２および第２電極９３の間でアーク放電が
起きる。アーク放電により発生した光（放電光）は、破線の矢印で示すように、放電位置
から全方向に向かって放射される。
【００３０】
図３に示すように、放電灯９０を点灯すると、放電空間９１内に封入されたガスは、ア
ークＡＲの発生により加熱され、放電空間９１内において対流する。詳細には、アークＡ
Ｒおよびその付近の領域は極めて高温となるため、放電空間９１内において、アークＡＲ
から鉛直方向上側に流れる対流ＡＦ（図３に一点鎖線の矢印で示す）が形成される。対流
ＡＦは、放電灯本体５１０の内壁に当たって放電灯本体５１０の内壁に沿って移動し、第
１電極９２および第２電極９３の芯棒５３３，５４３等を通過することによって冷却され
つつ降下する。
【００３１】
降下した対流ＡＦは、放電灯本体５１０の内壁に沿ってさらに降下するが、アークＡＲ
の鉛直方向下側で互いに衝突して上方のアークＡＲに戻されるように上昇する。対流ＡＦ
が、放電灯本体５１０の内壁を沿って移動することによって、放電灯本体５１０は加熱さ
れる。ここで、対流ＡＦは、アークＡＲの鉛直方向上側において最も温度が高い。そのた
め、アークＡＲの鉛直方向上側において対流ＡＦと接触する放電灯本体５１０の頂部５１
０ａが、放電灯本体５１０（放電灯９０）において最も高温となる最熱部となる。一方、
対流ＡＦの温度は放電空間９１内の鉛直方向下側において低くなるため、底部５１０ｂの
温度は、頂部５１０ａの温度よりも低くなる。
【００３２】
反射鏡１１２は、図２に示すように、固定部材１１４により、放電灯９０の第１端部９
０ｅ１に固定されている。反射鏡１１２は、放電光のうち、照射方向Ｄと反対側に向かっ
て進む光を照射方向Ｄに向かって反射する。反射鏡１１２の反射面（放電灯９０側の面）
の形状は、放電光を照射方向Ｄに向かって反射できる範囲内において、特に限定されず、
例えば、回転楕円形状であっても、回転放物線形状であってもよい。例えば、反射鏡１１
２の反射面の形状を回転放物線形状とした場合、反射鏡１１２は、放電光を光軸ＡＸに略
平行な光に変換することができる。これにより、平行化レンズ３０５を省略することがで
きる。
【００３３】
固定部材１１４の材料は、放電灯９０からの発熱に耐え得る耐熱材料である範囲内にお
いて、特に限定されず、例えば、無機接着剤である。
【００３４】
図４は、放電灯点灯装置１０および制御部４０の回路構成の一例を示す図である。
放電灯点灯装置１０は、図４に示すように、電力制御回路２０と、極性反転回路３０と
、動作検出部６０と、イグナイター回路７０と、を有する。
【００３５】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００３６】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００３７】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、制御部４０から電流制御信号が入力されてスイッチ素子２
１のＯＮ／ＯＦＦが制御される。電流制御信号には、例えば、ＰＷＭ（Ｐｕｌｓｅ  Ｗｉ
ｄｔｈ  Ｍｏｄｕｌａｔｉｏｎ）制御信号が用いられてもよい。
【００３８】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００３９】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００４０】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００４１】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００４２】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００４３】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００４４】
動作検出部６０は、放電灯９０のランプ電圧（電極間電圧）Ｖｌａを検出して制御部４
０にランプ電圧情報を出力する電圧検出部を含む。また、動作検出部６０は、駆動電流Ｉ
を検出して制御部４０に駆動電流情報を出力する電流検出部などを含む。本実施形態にお
いては、動作検出部６０は、第１の抵抗６１、第２の抵抗６２および第３の抵抗６３を含
んで構成されている。
【００４５】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００４６】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００４７】
制御部４０は、プロジェクター５００の動作開始から動作停止に至るまでの各種の動作
を制御する。制御部４０は、駆動電流Ｉの駆動電流波形に従って放電灯駆動部２３０を制
御する。また、制御部４０は、冷却部５０を制御する。図４の例では、制御部４０は、電
力制御回路２０および極性反転回路３０を制御することにより、駆動電流Ｉが同一極性を
継続する保持時間、駆動電流Ｉの電流値、周波数等のパラメーターを制御する。制御部４
０は、極性反転回路３０に対して、駆動電流Ｉの極性反転タイミングにより、駆動電流Ｉ
が同一極性で継続する保持時間、駆動電流Ｉの周波数等を制御する極性反転制御を行う。
制御部４０は、電力制御回路２０に対して、出力される直流電流Ｉｄの電流値を制御する
電流制御を行う。
【００４８】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００４９】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧Ｖｌａ
および駆動電流Ｉに基づき、電力制御回路コントローラー４２および極性反転回路コント
ローラー４３を制御してもよい。
【００５０】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００５１】
電力制御回路コントローラー４２は、システムコントローラー４１からの制御信号に基
づき、電力制御回路２０へ電流制御信号を出力することにより、電力制御回路２０を制御
する。
【００５２】
極性反転回路コントローラー４３は、システムコントローラー４１からの制御信号に基
づき、極性反転回路３０へ極性反転制御信号を出力することにより、極性反転回路３０を
制御する。
【００５３】
制御部４０は、専用回路を用いて実現され、上述した制御や後述する処理の各種制御を
行うようにすることができる。これに対して、制御部４０は、例えば、記憶部４４に記憶
された制御プログラムを実行することによりコンピューターとして機能し、これらの処理
の各種制御を行うようにすることもできる。
【００５４】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００５５】
冷却部５０は、光源ユニット２１０の放電灯９０を冷却する。冷却部５０は、例えば、
ファンにより構成されている。冷却部５０のファンは、例えば、シロッコファンで構成さ
れている。冷却部５０のファンは、プロジェクター５００の筐体内外の空気を吸引して、
冷却空気を光源ユニット２１０に送風する。より詳細には、冷却部５０は、放電灯本体５
１０の頂部５１０ａに冷却空気を送風し、頂部５１０ａを冷却する。
【００５６】
以下、プロジェクター５００の回路構成について説明する。
図６は、本実施形態のプロジェクター５００の回路構成の一例を示す図である。プロジ
ェクター５００は、図１に示した構成の他、図６に示すように、画像信号変換部５０１と
、直流電源装置８０と、液晶パネル５６０Ｒ，５６０Ｇ，５６０Ｂと、画像処理装置５７
０と、を備える。
【００５７】
画像信号変換部５０１は、外部から入力された画像信号（画像情報）５０２（輝度−色
差信号やアナログＲＧＢ信号など）を所定のワード長のデジタルＲＧＢ信号に変換して画
像信号（画像情報）５１２Ｒ，５１２Ｇ，５１２Ｂを生成し、画像処理装置５７０に供給
する。
【００５８】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００５９】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５０１、画像処理装置５７０およびトランスの１次側
にある放電灯点灯装置１０に直流電圧を供給する。
【００６０】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００６１】
液晶パネル５６０Ｒ，５６０Ｇ，５６０Ｂは、前述した液晶ライトバルブ３３０Ｒ，３
３０Ｇ，３３０Ｂにそれぞれ設けられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００６２】
次に、本実施形態の制御部４０による冷却部５０の制御について説明する。本実施形態
において制御部４０は、冷却部５０をＰＷＭ制御によって制御する。制御部４０は、冷却
部５０に供給される電流パルスのデューティー比を変調し、冷却部５０の回転数Ｒｆを調
整する。冷却部５０に供給される電流パルスのデューティー比は、冷却部５０の回転数Ｒ
ｆと比例関係にある。すなわち、以下の説明における冷却部５０の回転数Ｒｆを冷却部５
０に供給される電流パルスのデューティー比に置き換えることもできる。
【００６３】
図７は、本実施形態におけるランプ電圧Ｖｌａの変化に対する冷却部５０の回転数Ｒｆ
の変化の一例を示すグラフである。図７において、縦軸は冷却部５０の回転数Ｒｆを示し
ており、横軸はランプ電圧Ｖｌａを示している。図８は、ランプ電圧Ｖｌａの変化に対す
る放電灯９０における放電灯温度Ｔｍの変化の一例を示すグラフである。図８において、
縦軸は放電灯温度Ｔｍを示しており、横軸はランプ電圧Ｖｌａを示している。本実施形態
において放電灯温度Ｔｍは、放電灯本体５１０の頂部５１０ａの温度である。
【００６４】
制御部４０は、図７に示すように、第１冷却制御Ｃ１と、第２冷却制御Ｃ２と、第３冷
却制御Ｃ３と、を実行可能である。図７の例では、第１冷却制御Ｃ１は、ランプ電圧Ｖｌ
ａが初期上限値ＶｌａＵ以下の第１電圧範囲Ｐ１において実行される。第２冷却制御Ｃ２
は、ランプ電圧Ｖｌａが初期上限値ＶｌａＵよりも大きく、失透発生値ＶｌａＣよりも小
さい第２電圧範囲Ｐ２において実行される。第３冷却制御Ｃ３は、ランプ電圧Ｖｌａが失
透発生値ＶｌａＣ以上の第３電圧範囲Ｐ３において実行される。
【００６５】
初期上限値ＶｌａＵは、放電灯９０の初期ランプ電圧Ｖｌａ０のバラツキの上限値であ
る。初期ランプ電圧Ｖｌａ０は、放電灯９０の製造バラツキによって、初期ランプ電圧Ｖ
ｌａ０のバラツキの下限値である初期下限値ＶｌａＬから、初期上限値ＶｌａＵまでの間
でバラつく。一例として、初期ランプ電圧Ｖｌａ０の目標値を６５Ｖとした場合、初期上
限値ＶｌａＵは、７５Ｖであり、初期下限値ＶｌａＬは、６０Ｖである。
【００６６】
失透発生値ＶｌａＣは、放電灯９０に失透が生じ始めるときのランプ電圧Ｖｌａである
。失透は、放電灯９０の放電灯本体５１０の内壁が高熱となることで結晶化し、白濁する
現象である。放電灯９０が失透することで、放電灯９０の照度（発光効率）は低下する。
失透発生値ＶｌａＣは、初期上限値ＶｌａＵよりも大きい。
【００６７】
第１冷却制御Ｃ１は、冷却部５０の回転数Ｒｆがランプ電圧Ｖｌａに依存しない制御で
ある。すなわち、制御部４０は、第１冷却制御Ｃ１を行う際には、ランプ電圧Ｖｌａに基
づかずに冷却部５０の回転数Ｒｆの制御を行う。本実施形態において第１冷却制御Ｃ１に
おける冷却部５０の回転数Ｒｆは、一定である。すなわち、制御部４０は、第１冷却制御
Ｃ１を行う第１電圧範囲Ｐ１において、冷却部５０の回転数Ｒｆを一定の値に維持する。
図７の例では、冷却部５０の回転数Ｒｆは、第１冷却制御Ｃ１において、仕様回転数Ｒｆ
０に維持される。仕様回転数Ｒｆ０は、初期ランプ電圧Ｖｌａ０が目標値であった場合に
おいて、放電灯９０を使用し始めた初期段階で、放電灯温度Ｔｍを好適な値にすることが
できる冷却部５０の回転数Ｒｆである。
【００６８】
第２冷却制御Ｃ２は、ランプ電圧Ｖｌａと冷却部５０の回転数Ｒｆとの関係を示す第１
制御情報（制御情報）ＣＩ１に基づいて冷却部５０を制御する制御である。本実施形態に
おいて第１制御情報ＣＩ１が示すランプ電圧Ｖｌａと冷却部５０の回転数Ｒｆとの関係は
、一次関数で示される。第１制御情報ＣＩ１におけるランプ電圧Ｖｌａに対する冷却部５
０の回転数Ｒｆの傾きは、正である。すなわち、第１制御情報ＣＩ１においては、ランプ
電圧Ｖｌａが大きくなる程、一次直線に沿って冷却部５０の回転数Ｒｆが大きくなるよう
に設定されている。
【００６９】
第１制御情報ＣＩ１は、ランプ電圧Ｖｌａが失透発生値ＶｌａＣよりも小さい場合、す
なわち第１電圧範囲Ｐ１および第２電圧範囲Ｐ２における冷却部５０の回転数Ｒｆごとの
ランプ電圧Ｖｌａと放電灯温度Ｔｍとの関係を計測することによって、実験的に得ること
ができる。図８においては、第１電圧範囲Ｐ１および第２電圧範囲Ｐ２において、冷却部
５０の回転数Ｒｆが仕様回転数Ｒｆ０で一定とされる場合における、ランプ電圧Ｖｌａの
変化に対する放電灯温度Ｔｍの変化の一例を示している。図８に示すように、第１電圧範
囲Ｐ１および第２電圧範囲Ｐ２において、ランプ電圧Ｖｌａに対する放電灯温度Ｔｍの変
化は、傾きが正の一次関数で表される。すなわち、第１電圧範囲Ｐ１および第２電圧範囲
Ｐ２においてランプ電圧Ｖｌａが何らかの原因によって上昇すると、冷却部５０の回転数
Ｒｆに応じた一次直線に従って放電灯温度Ｔｍが上昇する。
【００７０】
なお、第１電圧範囲Ｐ１および第２電圧範囲Ｐ２における放電灯温度Ｔｍとランプ電圧
Ｖｌａとの関係が、このような一次関数で表されることは、本発明者らの研究によって明
らかとなったものであり、一次関数の傾きおよび切片は、放電灯毎に実験的に求めること
ができる。
【００７１】
上記のような冷却部５０の回転数Ｒｆごとの放電灯温度Ｔｍとランプ電圧Ｖｌａとの関
係から、放電灯温度Ｔｍを所望する値とするときのランプ電圧Ｖｌａごとの回転数Ｒｆを
得ることで、第１制御情報ＣＩ１が得られる。本実施形態では、放電灯温度Ｔｍを一定の
適正温度Ｔｍ１に維持するときのランプ電圧Ｖｌａごとの回転数Ｒｆを得ることで、第１
制御情報ＣＩ１が得られる。一例として、図８のグラフからは、ランプ電圧Ｖｌａが初期
上限値ＶｌａＵである場合に、冷却部５０の回転数Ｒｆを仕様回転数Ｒｆ０とすることで
、放電灯温度Ｔｍを適正温度Ｔｍ１にできることが分かる。
【００７２】
制御部４０は、第２電圧範囲Ｐ２において第１制御情報ＣＩ１に基づいた第２冷却制御
Ｃ２を行うため、第２電圧範囲Ｐ２において放電灯温度Ｔｍを適正温度Ｔｍ１に維持する
ことができる。図７に示すように、本実施形態の第１制御情報ＣＩ１において、ランプ電
圧Ｖｌａが初期上限値ＶｌａＵであるときの冷却部５０の回転数Ｒｆは、仕様回転数Ｒｆ
０である。本実施形態の第１制御情報ＣＩ１において、ランプ電圧Ｖｌａが失透発生値Ｖ
ｌａＣであるときの冷却部５０の回転数Ｒｆは、回転数Ｒｆａである。第１冷却制御Ｃ１
における冷却部５０の回転数Ｒｆは、第２冷却制御Ｃ２における冷却部５０の回転数Ｒｆ
以下である。
【００７３】
第３冷却制御Ｃ３は、ランプ電圧Ｖｌａと冷却部５０の回転数Ｒｆとの関係を示す第２
制御情報（制御情報）ＣＩ２に基づいて冷却部５０を制御する制御である。本実施形態に
おいて第２制御情報ＣＩ２が示すランプ電圧Ｖｌａと冷却部５０の回転数Ｒｆとの関係は
、一次関数で示される。第２制御情報ＣＩ２におけるランプ電圧Ｖｌａに対する冷却部５
０の回転数Ｒｆの傾きは、正である。すなわち、第２制御情報ＣＩ２においては、ランプ
電圧Ｖｌａが大きくなる程、一次直線に沿って冷却部５０の回転数Ｒｆが大きくなるよう
に設定されている。
【００７４】
第２制御情報ＣＩ２におけるランプ電圧Ｖｌａに対応する冷却部５０の回転数Ｒｆの度
合いは、第１制御情報ＣＩ１におけるランプ電圧Ｖｌａに対応する冷却部５０の回転数Ｒ
ｆの度合いよりも大きい。なお、本明細書において「ランプ電圧に対応する冷却部の回転
数の度合い」とは、ランプ電圧に対応する冷却部の回転数の値と、ランプ電圧の変化量に
対する冷却部の回転数の変化量の割合と、を含む。
【００７５】
本実施形態では、第２制御情報ＣＩ２におけるランプ電圧Ｖｌａの変化量に対する冷却
部５０の回転数Ｒｆの変化量の割合が、第１制御情報ＣＩ１におけるランプ電圧Ｖｌａの
変化量に対する冷却部５０の回転数Ｒｆの変化量の割合よりも大きい。言い換えると、図
７に示す第２制御情報ＣＩ２における冷却部５０の回転数Ｒｆの変化の傾きは、第１制御
情報ＣＩ１における冷却部５０の回転数Ｒｆの変化の傾きよりも大きい。第２制御情報Ｃ
Ｉ２におけるランプ電圧Ｖｌａの変化量に対する冷却部５０の回転数Ｒｆの変化量の割合
は、例えば、第１制御情報ＣＩ１におけるランプ電圧Ｖｌａの変化量に対する冷却部５０
の回転数Ｒｆの変化量の割合の１倍よりも大きく、３倍よりも小さく、好ましくは２倍以
下である。このような数値範囲にすることで、第３冷却制御Ｃ３による冷却部５０の制御
を好適にしやすい。
【００７６】
本実施形態の第２制御情報ＣＩ２において、ランプ電圧Ｖｌａが失透発生値ＶｌａＣで
あるときの冷却部５０の回転数Ｒｆは、第１制御情報ＣＩ１と同様に、回転数Ｒｆａであ
る。第２冷却制御Ｃ２における冷却部５０の回転数Ｒｆは、第３冷却制御Ｃ３における冷
却部５０の回転数Ｒｆ以下である。
【００７７】
制御部４０は、ランプ電圧Ｖｌａおよび累積点灯時間ｔｔに基づいて、各冷却制御を切
り換える。
図９は、本実施形態における制御部４０の制御手順の一例を示すフローチャートである
。図１０は、累積点灯時間ｔｔの変化に対するランプ電圧Ｖｌａの変化の一例を示すグラ
フである。図１０において、縦軸はランプ電圧Ｖｌａを示しており、横軸は累積点灯時間
ｔｔを示している。累積点灯時間ｔｔは、放電灯９０が点灯された時間の総計である。す
なわち、累積点灯時間ｔｔは、放電灯９０が初めて点灯したときから積算された放電灯９
０の点灯時間である。
【００７８】
制御部４０は、図９に示すように、放電灯９０が点灯を開始すると（ステップＳ１）、
ランプ電圧Ｖｌａが初期上限値ＶｌａＵよりも大きいか否かを判断する（ステップＳ２）
。ランプ電圧Ｖｌａが初期上限値ＶｌａＵ以下の場合（ステップＳ２：ＮＯ）、制御部４
０は、第１冷却制御Ｃ１を実行する（ステップＳ３）。一方、ランプ電圧Ｖｌａが初期上
限値ＶｌａＵよりも大きい場合（ステップＳ２：ＹＥＳ）、制御部４０は、第２冷却制御
Ｃ２を実行する（ステップＳ４）。すなわち、制御部４０は、ランプ電圧Ｖｌａが初期上
限値ＶｌａＵよりも大きい場合、第１冷却制御Ｃ１から第２冷却制御Ｃ２に切り換える。
【００７９】
制御部４０は、第１冷却制御Ｃ１または第２冷却制御Ｃ２を実行しつつ、累積点灯時間
ｔｔが失透発生時間（所定値）ｔｔ４以上か否かを判断する（ステップＳ５）。失透発生
時間ｔｔ４は、放電灯９０に失透が発生し始める累積点灯時間ｔｔである。失透発生時間
ｔｔ４は、例えば、実験的に求められ、予め記憶部４４に格納されている。なお、失透発
生時間ｔｔ４は、放電灯温度Ｔｍの積分値から推定することもできる。この場合、制御部
４０は、第１冷却制御Ｃ１または第２冷却制御Ｃ２を行いつつ、放電灯温度Ｔｍの変化か
ら、失透発生時間ｔｔ４を推算してもよい。
【００８０】
累積点灯時間ｔｔが失透発生時間ｔｔ４よりも小さい場合（ステップＳ５：ＮＯ）、制
御部４０は、放電灯９０に失透が生じていないと判断し、ランプ電圧Ｖｌａが初期上限値
ＶｌａＵよりも大きいか否かを判断しつつ（ステップＳ２）、第１冷却制御Ｃ１または第
２冷却制御Ｃ２を実行する（ステップＳ３，Ｓ４）。一方、累積点灯時間ｔｔが失透発生
時間ｔｔ４以上の場合（ステップＳ５：ＹＥＳ）、制御部４０は、放電灯９０に失透が生
じたと判断し、第３冷却制御Ｃ３を実行する（ステップＳ６）。すなわち、制御部４０は
、放電灯９０に失透が生じたと判断した場合、第１冷却制御Ｃ１または第２冷却制御Ｃ２
から、第３冷却制御Ｃ３に切り換える。その後、制御部４０は、第３冷却制御Ｃ３を実行
し続ける。
【００８１】
図１０に示すように、例えば、ランプ電圧Ｖｌａは、累積点灯時間ｔｔが比較的小さい
初期段階において徐々に低下する。これは、初期段階においては、突起５３１ｐが延びや
すく、第１電極９２と第２電極９３との電極間距離が小さくなりやすいためである。図１
０の例では、初期ランプ電圧Ｖｌａ０が初期下限値ＶｌａＬと初期上限値ＶｌａＵとの間
の値であり、累積点灯時間ｔｔが値ｔｔ１になるまでランプ電圧Ｖｌａが低下する場合を
示している。累積点灯時間ｔｔが値ｔｔ１となる時点において、ランプ電圧Ｖｌａは、初
期ランプ電圧Ｖｌａ０よりも小さく、初期下限値ＶｌａＬよりも大きい。
【００８２】
その後、ランプ電圧Ｖｌａは、低下した値、あるいは低下した値の近傍に維持される。
そして、累積点灯時間ｔｔが比較的大きくなると、ランプ電圧Ｖｌａは、徐々に上昇し始
める。図１０の例では、累積点灯時間ｔｔが値ｔｔ１よりも大きい値ｔｔ２以上となると
、ランプ電圧Ｖｌａは上昇し始める。ランプ電圧Ｖｌａが上昇し始めた後、累積点灯時間
ｔｔが値ｔｔ２よりも大きい切換時間（第１時間）ｔｔ３となったとき、ランプ電圧Ｖｌ
ａは、初期上限値ＶｌａＵとなる。その後も、累積点灯時間ｔｔの増加に伴って、ランプ
電圧Ｖｌａは上昇し続ける。
【００８３】
図１０の例では、累積点灯時間ｔｔが切換時間ｔｔ３以下の範囲が、ランプ電圧Ｖｌａ
が初期上限値ＶｌａＵ以下の第１電圧範囲Ｐ１である。累積点灯時間ｔｔが切換時間ｔｔ
３よりも大きく失透発生時間ｔｔ４よりも小さい範囲が、ランプ電圧Ｖｌａが初期上限値
ＶｌａＵよりも大きく失透発生値ＶｌａＣよりも小さい第２電圧範囲Ｐ２である。累積点
灯時間ｔｔが失透発生時間ｔｔ４以上の範囲が、ランプ電圧Ｖｌａが失透発生値ＶｌａＣ
以上の第３電圧範囲Ｐ３である。
【００８４】
本実施形態では、例えば、上述したようにしてランプ電圧Ｖｌａが変化するため、累積
点灯時間ｔｔが切換時間ｔｔ３以下の場合、制御部４０は、第１冷却制御Ｃ１を実行する
。そして、制御部４０は、ランプ電圧Ｖｌａが初期上限値ＶｌａＵよりも大きい場合、す
なわち累積点灯時間ｔｔが切換時間ｔｔ３よりも大きい場合、第１冷却制御Ｃ１から第２
冷却制御Ｃ２に切り換える。その後、ランプ電圧Ｖｌａは上昇し続けるため、制御部４０
は、累積点灯時間ｔｔが失透発生時間ｔｔ４となるまで、第２冷却制御Ｃ２を実行し続け
る。そして、累積点灯時間ｔｔが失透発生時間ｔｔ４以上となると、制御部４０は、第２
冷却制御Ｃ２から第３冷却制御Ｃ３に切り換える。
【００８５】
以上のようにして、制御部４０は、第１冷却制御Ｃ１から第３冷却制御Ｃ３までを切り
換えて、冷却部５０を制御する。
【００８６】
上述した制御部４０の制御は、プロジェクターの制御方法としても表現できる。すなわ
ち、本実施形態のプロジェクター５００の制御方法は、一対の第１電極９２および第２電
極９３を有し、光を射出する放電灯９０と、放電灯９０を冷却する冷却部５０と、を備え
るプロジェクター５００の制御方法であって、放電灯９０のランプ電圧Ｖｌａと冷却部５
０の回転数Ｒｆとの関係を示す制御情報（第１制御情報ＣＩ１および第２制御情報ＣＩ２
）に基づいて冷却部５０を制御し、放電灯９０に失透が生じたと判断した場合、制御情報
におけるランプ電圧Ｖｌａに対応する冷却部５０の回転数Ｒｆの度合いを大きくすること
を特徴とする。
【００８７】
例えば、失透した放電灯本体５１０の部分にアークＡＲから射出される光が照射される
と、照射された光は散乱するとともに、その一部が失透した放電灯本体５１０の部分に吸
収される。そのため、放電灯９０の照度は低下し、かつ、アークＡＲから射出される光に
よって、失透した放電灯本体５１０の部分の温度が上昇する。これにより、失透が生じた
後の放電灯９０においては、放電灯温度Ｔｍが、ランプ電圧Ｖｌａの上昇による温度上昇
と、失透による温度上昇とが足し合わされて変化する。そのため、第１電圧範囲Ｐ１およ
び第２電圧範囲Ｐ２におけるランプ電圧Ｖｌａに対する放電灯温度Ｔｍの変化に基づいた
第１制御情報ＣＩ１を用いる第２冷却制御Ｃ２では、放電灯９０を好適に冷却できない場
合がある。
【００８８】
これに対して、本実施形態によれば、制御部４０は、放電灯９０に失透が生じたと判断
した場合、ランプ電圧Ｖｌａに対応する冷却部５０の回転数Ｒｆの度合いが第１制御情報
ＣＩ１よりも大きい第２制御情報ＣＩ２に基づいて冷却部５０を制御する第３冷却制御Ｃ
３に切り換える。言い換えると、制御部４０は、放電灯９０に失透が生じたと判断した場
合、制御情報におけるランプ電圧Ｖｌａに対応する冷却部５０の回転数Ｒｆの度合いを大
きくする。そのため、放電灯９０に失透が生じた後に、放電灯９０の冷却度合を大きくす
ることができ、放電灯９０を好適に冷却することができる。したがって、本実施形態によ
れば、失透が生じた場合であっても、適切な放電灯９０の冷却が可能なプロジェクター５
００が得られる。これにより、放電灯９０の寿命を向上できる。
【００８９】
また、例えば、失透が生じた後は、放電灯９０の劣化、すなわちランプ電圧Ｖｌａの上
昇とともに、失透の度合いも上昇する。そのため、失透が生じる前よりも、ランプ電圧Ｖ
ｌａの変化量に対して、放電灯温度Ｔｍの変化量が大きくなる。失透が生じた後（第３電
圧範囲Ｐ３）におけるランプ電圧Ｖｌａに対する放電灯温度Ｔｍの変化は、例えば、図８
に示すように、失透が生じる前（第１電圧範囲Ｐ１および第２電圧範囲Ｐ２）におけるラ
ンプ電圧Ｖｌａに対する放電灯温度Ｔｍの変化よりも傾きが大きい一次関数になることが
考えられる。
【００９０】
これに対して、本実施形態によれば、第２制御情報ＣＩ２が示すランプ電圧Ｖｌａと冷
却部５０の回転数Ｒｆとの関係は、一次関数で示され、第２制御情報ＣＩ２におけるラン
プ電圧Ｖｌａの変化量に対する冷却部５０の回転数Ｒｆの変化量の割合は、第１制御情報
ＣＩ１におけるランプ電圧Ｖｌａの変化量に対する冷却部５０の回転数Ｒｆの変化量の割
合よりも大きい。言い換えると、制御部４０は、放電灯９０に失透が生じたと判断した場
合、制御情報におけるランプ電圧Ｖｌａの変化量に対する冷却部５０の回転数Ｒｆの変化
量の割合を大きくする。これにより、失透が生じた後のランプ電圧Ｖｌａの変化によって
生じる放電灯温度Ｔｍの変化を相殺するように、好適に冷却部５０の回転数Ｒｆを変化さ
せやすく、放電灯温度Ｔｍを好適な値にしやすい。したがって、放電灯９０の寿命をより
向上できる。
【００９１】
また、本実施形態によれば、第２制御情報ＣＩ２におけるランプ電圧Ｖｌａの変化量に
対する冷却部５０の回転数Ｒｆの変化量の割合は、第１制御情報ＣＩ１におけるランプ電
圧Ｖｌａの変化量に対する冷却部５０の回転数Ｒｆの変化量の割合の１倍よりも大きく、
３倍よりも小さい。言い換えると、制御部４０は、放電灯９０に失透が生じたと判断した
場合、制御情報におけるランプ電圧Ｖｌａの変化量に対する冷却部５０の回転数Ｒｆの変
化量の割合を３倍よりも小さい範囲内で大きくする。これにより、失透が生じた後の放電
灯９０の冷却をより好適にしやすく、放電灯９０の寿命をより向上できる。
【００９２】
また、本実施形態によれば、制御部４０は、累積点灯時間ｔｔが失透発生時間ｔｔ４（
所定値）以上となった場合に、放電灯９０に失透が生じたと判断する。そのため、予め実
験的に求めておいた失透発生時間ｔｔ４を用いる、あるいは上述したように失透発生時間
ｔｔ４を推算することで、制御部４０は、容易に失透を検出できる。したがって、放電灯
９０に失透が生じた際に、冷却制御を好適に第３冷却制御Ｃ３へ切り換えることができる
。
【００９３】
また、例えば、上述した第２冷却制御Ｃ２および第３冷却制御Ｃ３のみで冷却部５０を
制御することを考える。この場合、放電灯９０を使用開始した直後から、ランプ電圧Ｖｌ
ａに応じて冷却部５０の回転数Ｒｆが変化する。この場合において、例えば、初期ランプ
電圧Ｖｌａ０が、初期上限値ＶｌａＵである場合、冷却部５０の回転数Ｒｆは、初期ラン
プ電圧Ｖｌａ０が目標値である場合に比べて大きくなる。ここで、初期段階の放電灯９０
では黒化が生じやすいため、冷却部５０の回転数Ｒｆが初期段階で大きくなると、より黒
化が生じやすくなる場合がある。黒化が生じると、黒化が生じた部分の温度が上昇して失
透が生じやすくなる。そのため、上記のような場合では、初期段階において失透が生じ、
放電灯９０の寿命が低下する場合がある。
【００９４】
これに対して、本実施形態によれば、制御部４０は、ランプ電圧Ｖｌａが初期上限値Ｖ
ｌａＵよりも大きい場合に、第１冷却制御Ｃ１から第２冷却制御Ｃ２に切り換える。すな
わち、制御部４０は、ランプ電圧Ｖｌａが初期上限値ＶｌａＵ以下の場合には、ランプ電
圧Ｖｌａに依存せず、第２冷却制御Ｃ２における冷却部５０の回転数Ｒｆ以下の回転数Ｒ
ｆである第１冷却制御Ｃ１を実行する。そのため、初期ランプ電圧Ｖｌａ０のバラツキに
よらず、初期段階における冷却部５０の回転数Ｒｆを制御でき、冷却部５０の回転数Ｒｆ
が大きくなることを抑制できる。これにより、初期段階において放電灯９０に黒化が生じ
て失透が生じることを抑制できる。
【００９５】
一方、放電灯９０がある程度点灯されて、累積点灯時間ｔｔがある程度大きくなると、
黒化が生じにくくなる。放電灯９０がこのような状態の場合には、ランプ電圧Ｖｌａに応
じて冷却部５０の回転数Ｒｆを変化させる第２冷却制御Ｃ２を行うことが好ましい。これ
は、放電灯温度Ｔｍを適正温度Ｔｍ１に維持することで、放電灯温度Ｔｍの積分値が大き
くなることを抑制でき、失透が生じるまでの失透発生時間ｔｔ４を長くできるためである
。
【００９６】
これに対して、本実施形態では、ランプ電圧Ｖｌａが初期上限値ＶｌａＵよりも大きい
場合に、第１冷却制御Ｃ１から第２冷却制御Ｃ２に切り換えられるため、ある程度、累積
点灯時間ｔｔが経過した後に、好適に冷却部５０の制御を切り換えることができる。した
がって、ランプ電圧Ｖｌａが初期上限値ＶｌａＵよりも大きい場合に、放電灯９０を好適
に冷却できる。
【００９７】
以上のように、本実施形態によれば、放電灯９０の製造バラツキによらず、適切な放電
灯９０の冷却が可能なプロジェクター５００が得られる。これにより、放電灯９０の寿命
をより向上させることができる。
【００９８】
なお、上述したように、放電灯９０の初期段階においては、突起５３１ｐが延びやすく
、ランプ電圧Ｖｌａが低下する。そのため、例えば、初期ランプ電圧Ｖｌａ０が初期上限
値ＶｌａＵである場合であっても、初期段階においてすぐにランプ電圧Ｖｌａが初期上限
値ＶｌａＵよりも大きくなることが抑制される。これにより、初期段階において好適に第
１冷却制御Ｃ１を実行することができる。
【００９９】
また、例えば、上述した第２冷却制御Ｃ２のみで冷却部５０を制御する場合において、
初期ランプ電圧Ｖｌａ０が比較的大きいと、冷却部５０の回転数Ｒｆが比較的大きくなる
。そのため、プロジェクター５００を使用し始めた直後から、冷却部５０によって生じる
騒音が大きくなる問題がある。
【０１００】
これに対して、本実施形態によれば、初期ランプ電圧Ｖｌａ０のバラツキによらず、初
期段階において冷却部５０の回転数Ｒｆが大きくなることを抑制できる。そのため、プロ
ジェクター５００を使用し始めた直後に冷却部５０によって生じる騒音が大きくなること
を抑制できる。
【０１０１】
また、本実施形態によれば、制御部４０は、第１冷却制御Ｃ１において、冷却部５０の
回転数Ｒｆを一定の値とする。そのため、放電灯９０の初期段階において、冷却部５０の
回転数Ｒｆを黒化が生じにくい値に維持しやすい。
【０１０２】
また、本実施形態によれば、第１制御情報ＣＩ１が示すランプ電圧Ｖｌａと回転数Ｒｆ
との関係は、一次関数で示される。そのため、第１制御情報ＣＩ１に基づいて冷却部５０
の回転数Ｒｆを制御することで、ランプ電圧Ｖｌａに対して一次関数的に変化する放電灯
温度Ｔｍを、一定の値に維持することが可能となる。これにより、第２冷却制御Ｃ２によ
って、放電灯温度Ｔｍを適正温度Ｔｍ１に維持することができ、放電灯９０の寿命をより
向上できる。
【０１０３】
＜第２実施形態＞
第２実施形態は、第１実施形態に対して、ランプ電圧Ｖｌａに対する冷却部５０の回転
数Ｒｆの変化の仕方が異なる。図１１は、本実施形態におけるランプ電圧Ｖｌａの変化に
対する冷却部５０の回転数Ｒｆの変化の一例を示すグラフである。図１１において、縦軸
は冷却部５０の回転数Ｒｆを示しており、横軸はランプ電圧Ｖｌａを示している。なお、
上記実施形態と同様の構成については、適宜同一の符号を付す等により説明を省略する場
合がある。
【０１０４】
本実施形態の第１冷却制御Ｃ１ａにおける冷却部５０の回転数Ｒｆは、第２冷却制御Ｃ
２においてランプ電圧Ｖｌａが初期上限値ＶｌａＵである場合の冷却部５０の回転数Ｒｆ
よりも小さい。本実施形態において第１冷却制御Ｃ１ａにおける冷却部５０の回転数Ｒｆ
は、仕様回転数Ｒｆ０よりも小さい低回転数Ｒｆｂで一定である。
【０１０５】
第１冷却制御Ｃ１ａにおいては、冷却部５０の回転数Ｒｆが低回転数Ｒｆｂとなるため
、放電灯温度Ｔｍが適正温度Ｔｍ１よりも大きくなる。低回転数Ｒｆｂは、放電灯温度Ｔ
ｍが第１電圧範囲Ｐ１において適正温度Ｔｍ１に対して＋３０℃以内の値となるように設
定することが好ましい。これにより、失透が生じるまでの失透発生時間ｔｔ４が短くなる
ことを抑制できる。
【０１０６】
本実施形態の第３冷却制御Ｃ３ａは、第２制御情報ＣＩ２ａに基づいて冷却部５０を制
御する。第２制御情報ＣＩ２ａにおいて、ランプ電圧Ｖｌａが失透発生値ＶｌａＣである
ときの冷却部５０の回転数Ｒｆは、第１制御情報ＣＩ１におけるランプ電圧Ｖｌａが失透
発生値ＶｌａＣであるときの冷却部５０の回転数Ｒｆａよりも大きい高回転数Ｒｆｃであ
る。
【０１０７】
本実施形態の第２制御情報ＣＩ２ａにおけるランプ電圧Ｖｌａに対応する冷却部５０の
回転数Ｒｆの度合いは、第１実施形態の第２制御情報ＣＩ２におけるランプ電圧Ｖｌａに
対応する冷却部５０の回転数Ｒｆの度合いよりも大きい。本実施形態の第２制御情報ＣＩ
２ａにおけるランプ電圧Ｖｌａに対する冷却部５０の回転数Ｒｆの傾きは、例えば、第１
実施形態の第２制御情報ＣＩ２におけるランプ電圧Ｖｌａに対する冷却部５０の回転数Ｒ
ｆの傾きと同じである。
【０１０８】
本実施形態において制御部４０は、ランプ電圧Ｖｌａが初期上限値ＶｌａＵよりも大き
くなった場合、冷却部５０の回転数Ｒｆを増加させる。具体的には、制御部４０は、冷却
部５０の回転数Ｒｆを低回転数Ｒｆｂから仕様回転数Ｒｆ０に増加させる。また、制御部
４０は、放電灯９０に失透が生じたと判断した場合、冷却部５０の回転数Ｒｆを増加させ
る。具体的には、制御部４０は、累積点灯時間ｔｔが失透発生時間ｔｔ４となった場合に
、冷却部５０の回転数Ｒｆを回転数Ｒｆａから高回転数Ｒｆｃに増加させる。本実施形態
のその他の構成および方法は、第１実施形態と同様である。
【０１０９】
本実施形態によれば、制御部４０は、放電灯９０に失透が生じたと判断した場合、冷却
部５０の回転数Ｒｆを増加させる。そのため、失透が生じた直後に、冷却部５０の回転数
Ｒｆを大きくして、放電灯９０の冷却度合を向上させることができる。これにより、放電
灯９０をより好適に冷却できる。
【０１１０】
また、例えば、放電灯９０の製造バラツキによって初期ランプ電圧Ｖｌａ０が目標値よ
りも小さい場合、第１冷却制御において冷却部５０の回転数Ｒｆを仕様回転数Ｒｆ０にす
ると、放電灯９０の冷却度合が大きくなり、黒化が生じやすくなる場合がある。
【０１１１】
これに対して、本実施形態によれば、第１冷却制御Ｃ１ａにおける冷却部５０の回転数
Ｒｆは、第２冷却制御Ｃ２においてランプ電圧Ｖｌａが初期上限値ＶｌａＵである場合の
冷却部５０の回転数Ｒｆよりも小さい。そのため、放電灯９０の初期段階において、冷却
部５０の回転数Ｒｆをより小さくでき、放電灯９０の製造バラツキによって初期ランプ電
圧Ｖｌａ０が目標値よりも小さい場合であっても、黒化が生じることを抑制できる。さら
に、冷却部５０によって生じる騒音もより抑制できる。
【０１１２】
なお、上記の各実施形態においては、以下の構成および方法を採用することもできる。
上記の各実施形態では、第１冷却制御Ｃ１，Ｃ１ａと第２冷却制御Ｃ２との切り換えは、
ランプ電圧Ｖｌａに基づいて行ったが、これに限られない。制御部４０は、累積点灯時間
ｔｔに基づいて第１冷却制御Ｃ１，Ｃ１ａと第２冷却制御Ｃ２とを切り換えてもよい。こ
の場合、制御部４０は、例えば、放電灯９０の累積点灯時間ｔｔが切換時間ｔｔ３よりも
大きい場合、第１冷却制御Ｃ１，Ｃ１ａから第２冷却制御Ｃ２に切り換えてもよい。すな
わち、制御部４０は、ランプ電圧Ｖｌａが初期上限値ＶｌａＵよりも大きい場合、または
、放電灯９０の累積点灯時間ｔｔが切換時間ｔｔ３（第１時間）よりも大きい場合、第１
冷却制御Ｃ１から第２冷却制御Ｃ２に切り換える。プロジェクターの制御方法としても同
様である。
【０１１３】
また、累積点灯時間ｔｔに基づいて第１冷却制御Ｃ１，Ｃ１ａと第２冷却制御Ｃ２とを
切り換える場合、上述した第２実施形態の第１冷却制御Ｃ１ａにおける冷却部５０の回転
数Ｒｆは、第２冷却制御Ｃ２において累積点灯時間ｔｔが切換時間ｔｔ３である場合の回
転数Ｒｆよりも小さい。すなわち、第２実施形態の第１冷却制御Ｃ１ａにおける冷却部５
０の回転数Ｒｆは、第２冷却制御Ｃ２においてランプ電圧Ｖｌａが初期上限値ＶｌａＵで
ある場合の冷却部５０の回転数Ｒｆよりも小さい、または、第２冷却制御Ｃ２において累
積点灯時間ｔｔが切換時間ｔｔ３である場合の回転数Ｒｆよりも小さい。
【０１１４】
また、上記の第１実施形態の例では、第１冷却制御Ｃ１から第２冷却制御Ｃ２に切り換
えられた後、第１冷却制御Ｃ１に戻ることなく、第３冷却制御Ｃ３に移行したが、これに
限られない。例えば、ランプ電圧Ｖｌａが、初期上限値ＶｌａＵよりも大きくなった後に
、再び初期上限値ＶｌａＵ以下になった場合には、制御部４０は、第２冷却制御Ｃ２から
第１冷却制御Ｃ１に切り換える。なお、上述したように、制御部４０が累積点灯時間ｔｔ
に基づいて第１冷却制御Ｃ１，Ｃ１ａと第２冷却制御Ｃ２とを切り換える場合には、第２
冷却制御Ｃ２から第１冷却制御Ｃ１に戻ることはない。
【０１１５】
また、第１冷却制御Ｃ１，Ｃ１ａは、冷却部５０の回転数Ｒｆを一定ではなく変動させ
る制御であってもよい。ただし、この場合においても、第１冷却制御Ｃ１，Ｃ１ａは、ラ
ンプ電圧Ｖｌａに依存しない。また、第１制御情報ＣＩ１が示すランプ電圧Ｖｌａと冷却
部５０の回転数Ｒｆとの関係は、一次関数以外で示されてもよい。例えば、第１制御情報
ＣＩ１が示すランプ電圧Ｖｌａと冷却部５０の回転数Ｒｆとの関係は、ランプ電圧Ｖｌａ
の変化に対して、冷却部５０の回転数Ｒｆが段階的に変化するような関係であってもよい
。これらについては、第２制御情報ＣＩ２，ＣＩ２ａについても同様である。
【０１１６】
また、上記の各実施形態において制御部４０は、累積点灯時間ｔｔに基づいて、失透が
生じたか否かを判断したが、これに限られない。失透が生じたか否かを判断する方法は、
特に限定されない。例えば、制御部４０は、ランプ電圧Ｖｌａの変化、突起５３１ｐの変
化、放電灯９０から射出される光の変化等に基づいて、失透が生じたか否かを判断しても
よい。
【０１１７】
また、制御部４０は、第１冷却制御Ｃ１，Ｃ１ａを実行しない構成であってもよい。こ
の場合、制御部４０は、失透が生じたか否かに基づいて、冷却制御を、第２冷却制御Ｃ２
と第３冷却制御Ｃ３，Ｃ３ａとの間で切り換える。
【０１１８】
また、上記の実施形態では、失透が生じた後の放電灯温度Ｔｍの変化が、ランプ電圧Ｖ
ｌａに対して一次関数的に変化する例を示したが、これに限られない。失透が生じた後の
放電灯温度Ｔｍの変化は、特に限定されない。
【０１１９】
また、上記の各実施形態において、透過型のプロジェクターに本発明を適用した場合の
例について説明したが、本発明は、反射型のプロジェクターにも適用することも可能であ
る。ここで、「透過型」とは、液晶パネル等を含む液晶ライトバルブが光を透過するタイ
プであることを意味する。「反射型」とは、液晶ライトバルブが光を反射するタイプであ
ることを意味する。なお、光変調装置は、液晶パネル等に限られず、例えばマイクロミラ
ーを用いた光変調装置であってもよい。
【０１２０】
また、上記の各実施形態において、３つの液晶パネル５６０Ｒ，５６０Ｇ，５６０Ｂ（
液晶ライトバルブ３３０Ｒ，３３０Ｇ，３３０Ｂ）を用いたプロジェクター５００の例を
挙げたが、本発明は、１つの液晶パネルのみを用いたプロジェクター、４つ以上の液晶パ
ネルを用いたプロジェクターにも適用可能である。
【０１２１】
また、上記説明した各構成は、相互に矛盾しない範囲内において、適宜組み合わせるこ
とができる。
【実施例】
【０１２２】
実施例１を比較例１と比較して、本実施形態の有用性について確認した。各例に用いる
放電灯は、定格２００Ｗの水銀ランプとした。実施例１は、冷却部の制御が第２冷却制御
と第３冷却制御との間で切り換えられる実施例とした。比較例１は、第２冷却制御のみが
実行される比較例とした。
【０１２３】
各例の第２冷却制御および第３冷却制御の各制御情報が示すランプ電圧Ｖｌａと冷却部
の回転数Ｒｆとの関係は、一次関数とした。第２制御情報におけるランプ電圧Ｖｌａの変
化量に対する冷却部の回転数Ｒｆの変化量の割合は、第１制御情報におけるランプ電圧Ｖ
ｌａの変化量に対する冷却部の回転数Ｒｆの変化量の割合の２倍とした。
【０１２４】
実施例１においては、累積点灯時間ｔｔに基づいて失透を判断し、第２冷却制御から第
３冷却制御に切り換えられるものとし、失透発生時間ｔｔ４は、２０００ｈ（時間）とし
た。実施例１および比較例１を点灯させて、放電灯の寿命および失透面積について計測を
行った。失透面積は、それぞれ累積点灯時間ｔｔが６０００ｈ（時間）のときに計測した
。結果を表１に示す。
【０１２５】
【表１】
2018136480.tif 000003
【０１２６】
表１において、各冷却制御の「○」は、その冷却制御が実行されることを示し、「×」
は、その冷却制御が実行されないことを示す。また、放電灯の寿命［ｈ（時間）］とは、
放電灯の照度維持率が５０％以下になるまでの累積点灯時間ｔｔである。また、失透面積
については、比較例１を基準としたときの低下率［％］として示している。すなわち、失
透面積の低下率とは、累積点灯時間ｔｔが６０００ｈのときの比較例１での放電灯の失透
面積を基準としたとき、実施例１において、放電灯における失透面積がどのくらい減少し
ているかを示す。表１から、実施例１においては、比較例１に比べて、放電灯の寿命が長
く、失透面積も小さいことが確かめられた。これにより、第２冷却制御と第３冷却制御と
を組み合わせることで、放電灯の寿命を向上できることが確かめられた。
【符号の説明】
【０１２７】
４０…制御部、５０…冷却部、９０…放電灯、９２…第１電極（電極）、９３…第２電
極（電極）、３３０Ｒ，３３０Ｇ，３３０Ｂ…液晶ライトバルブ（光変調装置）、３５０
…投射光学装置、５００…プロジェクター、５０２，５１２Ｒ，５１２Ｇ，５１２Ｂ…画
像信号（画像情報）、ＣＩ１…第１制御情報（制御情報）、ＣＩ２…第２制御情報（制御
情報）、Ｒｆ…回転数、ｔｔ…累積点灯時間、ｔｔ４…失透発生時間（所定値）、Ｖｌａ
…ランプ電圧（電極間電圧）
【図１】
2018136480.tif 000004
【図２】
2018136480.tif 000005
【図３】
2018136480.tif 000006
【図４】
2018136480.tif 000007
【図５】
2018136480.tif 000008
【図６】
2018136480.tif 000009
【図７】
2018136480.tif 000010
【図８】
2018136480.tif 000011
【図９】
2018136480.tif 000012
【図１０】
2018136480.tif 000013
【図１１】
2018136480.tif 000014